(57)【特許請求の範囲】
【請求項１】
間接活線把持工具の一端側に設けられた対をなす把持部に対をなす間接活線先端工具を取り付けて構成される間接活線作業用具であって、
それぞれの前記間接活線先端工具は、
均一な幅を有する長尺且つ平板状に形成された平板部と、
この平板部の長手方向の一端側に形成され、先端に向かうにつれて厚みを徐々に薄くした先細りの先端部と、
前記平板部の長手方向の他端側に設けられて前記把持部に取り付けられる取り付け部とを有して構成され、
前記対をなす間接活線先端工具は、前記一方の間接活線先端工具の平板部の長手方向寸法を前記他方の間接活線先端工具の平板部の長手方向寸法よりも長くすることで、前記対をなす把持部に取り付けて互いの前記平板部を重ね合わせた状態において、互いの先端部が前記平板部の長手方向で前後にずれており、
前記先端部は、それぞれの前記間接活線先端工具の平板部の互いに対峙する側とは反対側の背面にテーパを設けて形成されている
ことを特徴とする間接活線作業用具。
【請求項２】
前記平板部の背面には、取り付け部に向かって徐々に突出量が大きくなるリブが形成されていることを特徴とする請求項１記載の間接活線作業用具。
【請求項３】
前記間接活線把持工具の対をなす把持部は、離反する方向に常時付勢されていると共に、前記間接活線把持工具の他端側に設けられた操作部を操作することで離間距離が変更されることを特徴とする請求項１又は２に記載の間接活線作業用具。
【発明の詳細な説明】
【技術分野】
【０００１】
この発明は、間接活線作業において、高圧カバー類等の開閉操作を行なう場合に適した間接活線作業用具に関する。
【背景技術】
【０００２】
架空配電線の芯線露出部などには、間接活線工法により高圧コネクターカバー、ジャンパースリーブカバー、電線引き留めクランプカバーなどの各種高圧カバーを取り付けるようにしている。このような高圧カバーは、一対のカバー部材で構成され、これら一対のカバー部材を、長手方向に沿った一方の側縁で弾性ヒンジを介して開閉自在に連結すると共に、長手方向に沿った他方の側縁で接合・離反できるようにして取り付けホック部により接合状態を保持するようにしている。したがって、高圧カバーの取り外しは、取り付けホック部の係合状態を解除してカバー部材を開くことにより行なわれる。
【０００３】
取り付けホックの係合状態を解除する方法としては、例えば、カバー部材に連結されている突片をヤットコで把持し、この状態で、高圧カバーの電線引き出し口にバインド打ち器の先端を挿入し、バインド打ち器を捻ることで取り付けホック部の係合状態を解除する方法が採用されている。
【０００４】
また、バインド打ち器を用いた係合状態の解除方法においては、電線が大きく動揺したり、電線の芯線が損傷したり、高圧カバーが変形又は損傷するなどの不都合が懸念されるため、共用操作棒や間接活線把持工具（絶縁ヤットコ）の先端に、帯板状の基部の一端側にＵ字板状の先端部を備えた先端工具を取り付け、この先端工具の先端部を高圧カバーの取り付けホック部に挿入して捻ることにより取り付けホック部の係合状態を解除する方法も考えられている（特許文献１参照）。
【先行技術文献】
【特許文献】
【０００５】
【特許文献１】特開２０１０―４６５７号公報
【発明の開示】
【発明が解決しようとする課題】
【０００６】
しかしながら、上述した手法においては、間接活線作業用具の先端に取り付けられた先端工具を高圧カバーに挿入した上で捻る作業が必要となり、高圧カバーの取り付けホック部の係合状態を解除するにはそれなりの熟練した作業が必要となるものであった。
【０００７】
また、前者の構成においては、電線の引き出し口を狙ってバイド打ち器の先端を挿入する必要があり、また、後者の構成においては、取り付けホックの係合部分を狙って先端工具の先端をカバーに挿入する必要があり、いずれもカバーに挿入するために正確な位置合わせが必要となり、作業効率がいいものではなかった。
【０００８】
さらに、上述した先端工具による作業においては、、取り付けホック部の係合状態を解除してカバー部材を開く作業には有効であるが、開いたカバー部材を閉じる作業を行う場合には、カバー押え器等を別途用意しなければならず、一連の作業を行う場合に、多くの工具が必要となるものであった。
【０００９】
本発明は、係る事情に鑑みてなされたものであり、捻る操作を行わなくてもカバーの取り付けホック部における係合状態を解除することができ、また、カバーに挿入する際に厳格な位置合わせが不要となり、さらには、高圧カバーの開操作および閉操作を、別々の間接活線工具を用いることなく、同一の先端工具を用いて行なうことが可能な間接活線作業用具を提供することを主たる課題としている。
【課題を解決するための手段】
【００１０】
上記課題を達成するために、本発明にかかる間接活線作業用具は、間接活線把持工具の一端側に設けられた対をなす把持部に対をなす間接活線先端工具を取り付けて構成される間接活線作業用具であって、それぞれの前記間接活線先端工具は、均一な幅を有する長尺且つ平板状に形成された平板部と、この平板部の長手方向の一端側に形成され、先端に向かうにつれて厚みを徐々に薄くした先細りの先端部と、前記平板部の長手方向の他端側に設けられて前記把持部に取り付けられる取り付け部とを有して構成され、前記対をなす間接活線先端工具は、前記一方の間接活線先端工具の平板部の長手方向寸法を前記他方の間接活線先端工具の平板部の長手方向寸法よりも長くすることで、前記対をなす把持部に取り付けて互いの前記平板部を重ね合わせた状態において、互いの先端部が前記平板部の長手方向で前後にずれており、前記先端部は、それぞれの前記間接活線先端工具の平板部の互いに対峙する側とは反対側の背面にテーパを設けて形成されていることを特徴としている。
【００１１】
したがって、間接活線把持工具の把持部に設けられる対をなす間接活線先端工具は、長尺且つ平板状に形成された平板部と、この平板部の長手方向の一端側に形成された先細りの先端部と、平板部の長手方向の他端側に設けられて前記把持部に取り付けられる取り付け部とを有して構成され、間接活線把持工具の把持部に取り付けられて互いの平板部を重ね合わせた状態において、それぞれの先端部が平板部の長手方向に沿って前後にずれているので、一方の先端部から高圧カバーのカバー部材の接合部に挿入することができ、そのまま押し込むことで他方の先端部も挿入することが可能となる。
【００１２】
そして、両方の先端部がカバーに挿入された後に、間接活線把持工具の把持部を開いて対をなす間接活線先端工具の平板部を互いに離反させれば、対をなすカバー部材を開ける方向に力が作用し、カバーの取り付けホック部における係合状態を解除することが可能となる。
【００１３】
この際、間接活線把持工具として、対をなす把持部が離反する方向に常時付勢されており、間接活線把持工具の他端側に設けられた操作部を操作することで（握持することで）把持部の離間距離が変更される構成である場合には、対をなす把持部に取り付けられる一対の間接活線先端工具を操作部を操作して重ね合わせ、その状態でカバーに挿入して操作部の操作を解除すれば（握持した状態を解除すれば）、一対の間接活線先端工具は互いに離反する方向に付勢され、カバーの取り付けホック部における係合状態を解除することが可能となる。
【００１４】
また、それぞれの間接活線先端工具は、平板部が長尺状に形成されているので、把持部を開いた状態においては、間接活線先端工具の先端部間の離間距離は大きくなっており、高圧カバーを閉じる場合には、この開いた一対の間接活線先端工具で一対のカバー部材を挟み込んで閉じることが可能となり、先端工具を取り替える必要がなくなる。このため、同じ間接活線先端工具を用いて、高圧カバーの開操作および閉操作を行なうことが可能となる。
【００１５】
尚、間接活線先端工具の平板部を重ね合わせた状態において、先端部を平板部の長手方向で前後にずらす構成としては、一方の間接活線先端工具の平板部の長手方向寸法を他方の間接活線先端工具の平板部の長手方向寸法よりも長くすることで対応したが、それぞれの先端工具の把持部への取り付け位置を調整してそれぞれの先端部を平板部の長手方向で前後にずらすことで、それぞれの先端部を平板部の長手方向で前後にずらすようにしてもよい。
【発明の効果】
【００１６】
以上のように、本発明によれば、間接活線把持工具の対をなす把持部に取り付けられる対をなす間接活線先端工具を、長尺且つ平板状に形成された平板部と、この平板部の長手方向の一端側に形成された先細りの先端部と、平板部の長手方向の他端側に設けられて把持部に取り付けられる取り付け部とを有して構成し、それぞれの間接活線先端工具の先端部を、把持部に取り付けて互いに平板部を重ね合わせた状態において、平板部の長手方向で前後にずらすようにし、また、先細りの先端部を、それぞれの間接活線先端工具の平板部の互いに対峙する側とは反対側の背面にテーパを設けて形成したので、カバーのカバー部材の接合部に対して間接活線先端工具の先端部の挿入をスムーズに行うことが可能となる。また、双方の間接活線先端工具の先端部が挿入された後に両把持部間を広げることで、カバーの取り付けホック部の係合状態を解除することが可能となるので、捻る操作が不要となり、熟練した作業が不要となる。
【００１７】
また、間接活線把持工具の平板部は長尺状に形成されているので、間接活線把持工具の把持部を開いた状態において、間接活線先端工具の先端部間の離間距離は大きくなっており、開いたカバーを閉じる場合に、対をなすカバー部材を挟み込んで閉じることが可能となる。このため、同じ間接活線先端工具により、高圧カバーを開操作および閉操作を行なうことが可能となり、間接活線作業時に用意する工具類の数を減らすことが可能となる。
【００１８】
さらに、間接活線把持工具の対をなす把持部が、離反する方向に常時付勢されており、間接活線把持工具の他端側に設けられた操作部を操作することで離間距離を変更することが可能である場合には、一対の間接活線先端工具の先端部がカバーのカバー部材の接合部に挿入された後に操作部の操作を解除すれば、対をなすカバー部材には開方向に付勢する力がかかることになり、開操作が容易となる。
【００１９】
なお、平板部の背面に、取り付け部に向かって徐々に突出量が大きくなるリブを形成することで、一対のカバー部材の接合部への平板部の挿入を阻害することなく平板部の補強を図ることが可能となり、また、平板部を挿入した後にカバー部材の接合部の開きを補うことが可能となる。
【図面の簡単な説明】
【００２０】
【図１】本発明に係る間接活線作業用具を示すもので、一対の間接活線先端工具が間接活線把持工具である絶縁ヤットコの把持部に取付けられた状態を示す側面図である。
【図２】間接活線把持工具を示す図であり、（ａ）はその全体図、（ｂ）はその先端部分の拡大図である。
【図３】一対の間接活線先端工具が閉じられた状態の側面図である。
【図４】一対の間接活線先端工具の平面図であり、（ａ）は間接活線先端工具５の平面図、（ｂ）は間接活線先端工具４の平面図である。
【図５】高圧カバーの開操作を説明する説明図であり、（ａ）はその全体図、（ｂ）は間接活線作業用具の対をなす間接活線先端工具をカバーに挿入する直前の状態を示す図である。
【図６】本発明に係る間接活線作業用具を用いて高圧カバーを開いた状態を示す図である。
【図７】高圧カバーの閉操作を説明する図であり、（ａ）はその全体図、（ｂ）は間接活線作業用具の対をなす間接活線先端工具で対をなすカバー部材を挟み込む状態を示す図である。
【発明を実施するための形態】
【００２１】
以下、この発明の実施例を図面に基づいて説明する。
【実施例１】
【００２２】
図１において、本発明に係る間接活線作業用具の構成例が示されている。この間接活線作業用具１は、対をなす把持部２ａ，２ｂを有する間接活線把持工具３と、この間接活線把持工具３の対をなす把持部２ａ，２ｂに取り付けられる一対の間接活線先端工具４，５とから構成されている。
【００２３】
間接活線把持工具３としては、図２に示されるような一般的な絶縁ヤットコが用いられる。この間接活線把持工具（絶縁ヤットコ）３は、それ自体周知のもので、主軸２０の先端側に一対の作動部１５（１５ａ、１５ｂ）を有し、この作動部１５の先端に設けられた一対の把持部２ａ，２ｂを主軸２０の基端側に設けられた操作部６によって開閉操作するようにしている。
【００２４】
操作部６は、主軸２０の基端側に回動自在に取り付けられているハンドル７によって構成され、このハンドル７を一方の作動部１５ａと連結棒８で連結した構造となっている。ハンドル７は、その支軸７ａに取り付けられているコイルバネ９によって開拡する方向に常時付勢され、連結棒８は、ハンドル７がコイルバネ９の付勢力に抗して押し狭められた場合（ハンドル７を主軸２０に近づけるように回動させた場合）に引っ張られ、一方の作動部１５ａの基端部を引っ張るようになっている。この一方の作動部１５ａは、他方の作動部１５ｂに対して支軸１０によって回動自在に取り付けられており、ハンドル７を主軸２０と共に握持してハンドル７がコイルバネ９に抗して回動されると、支軸１０に対して把持部２ａとは反対側の端部が連結棒８によって引っ張られ、把持部２ａが他方の作動部１５ｂの把持部２ｂに向かって移動し当接されるようになっている。
【００２５】
また、ハンドル７から手を離してコイルバネ９のバネ力によりハンドル７が元の位置に戻されると、一方の作動部１５ａは、支軸１０に対して把持部２ａとは反対側の端部が連結棒８によって押し出され、把持部２ａが他方の作動部１５ｂの把持部２ｂから離反するようになっている。
したがって、ハンドル７を握持する操作と握持を解除する操作とにより、一対の把持部２ａ，２ｂが開閉動作するようになっている。
尚、一対の把持部２ａ，２ｂには、以下に述べる間接活線先端工具４，５を取り付けるための係合孔１２ａ，１２ｂが形成されている。
【００２６】
一対の把持部２ａ、２ｂに取り付けられるそれぞれの間接活線先端工具は４，５は、ステンレス等の金属で形成され、図３、図４にも示されるように、長尺且つ平板状に形成された平板部２１，３１と、この平板部２１，３１の長手方向の一端側に形成された先細りの先端部２２，３２と、平板部２１，３１の長手方向の他端側に設けられて前記把持部２ａ，２ｂに取り付けられる取り付け部２３，３３とを有して構成されている。
【００２７】
それぞれの間接活線先端工具４，５において、先端部２２，３２は、これと対峙する他方の間接活線先端工具と対峙する側とは反対側の背面にテーパを設けて、先端に向かうにつれて徐々に厚みを薄くする先細りに形成されている。このテーパは、先端から０．５ｃｍ程の幅に形成されている。
【００２８】
また、取り付け部２３，３３は、前述した間接活線把持工具（絶縁ヤットコ）３の把持部２ａ，２ｂに取り付け可能な構成となっているもので、平板部２１，３１と一体に形成された取り付け部本体２３ａ，３３ａに、把持部２ａ，２ｂを挿入可能に形成された挿入部２３ｂ，３３ｂが形成されている。また、この取り付け部本体２３ａ，３３ａには、挿入部２３ｂ，３３ｂに挿入された把持部２ａ，２ｂに係合する係合手段が設けられている。この係合手段は、取り付け部本体２３ａ，３３ａに一体形成されたボス状のピン受け部２３ｃ、３３ｃに形成されたピン挿入孔２３ｄ，３３ｄに外側から変位可能に挿入されて先端部が挿入部２３ｂ，３３ｂに突出可能な長さに形成された係合ピン２３ｅ，３３ｅと、ピン挿入孔２３ｄ，３３ｄに収容された引っ張りコイルスプリング２３ｆ、３３ｆとから構成されている。引っ張りコイルスプリング２３ｆ、３３ｆは、ピン挿入孔２３ｄ，３３ｄ内に挿入されて、中心に係合ピン２３ｅ，３３ｅを貫通させるようにしているもので、この引っ張りコイルスプリング２３ｆ、３３ｆにより係合ピン２３ｅ，３３ｅの頭部を常時ピン受け部２３ｃ、３３ｃの先端に当接させ、係合ピン２３ｃ、３３ｃの先端を挿入部２３ｂ，３３ｂ内に突出させるようにしている。
【００２９】
従って、間接活線先端工具４，５を間接活線把持工具（絶縁ヤットコ）３の把持部２ａ，２ｂにとりつけるには、係合ピン２３ｅ、３３ｅを持ってコイルスプリング２３ｆ、３３ｆに抗して引っ張り上げ、間接活線把持工具（絶縁ヤットコ）３の把持部２ａ，２ｂを挿入部２３ｂ，３３ｂに挿入した後に、係合ピン２３ｅ、３３ｅを離すことで、係合ピン２３ｅ、３３ｅの先端部を把持部２ａ，２ｂに形成された係合孔１２ａ，１２ｂに挿入係合させることで固定する。なお、間接活線把持工具（絶縁ヤットコ）３から間接活線先端工具４，５を外すには、上述した取付け操作と逆の操作を行えばよい。
【００３０】
また、取り付け部本体２３ａ，３３ａには、図４に示されるように、ピン受け部２３ｃ、３３ｃの両脇において、挿入部２３ｂ，３３ｂの開口端面から把持部２ａ，２ｂの挿入方向に所定の長さに延びるスリット２３ｇ、３３ｇが形成され、このスリット２３ｇ、３３ｇにより、取り付け部２３，３３を把持部２ａ，２ｂに取り付ける際に、把持部２ａ，２ｂの背面に形成された補強用の突条との干渉を防ぐと共に、把持部２ａ，２ｂに取り付ける際のガイド機能を持たせるようにしている。  
【００３１】
また、平板部２１，３１の背面には、先端部２２，３２から所定の間隔を空けてリブ２４，３４が一体に形成されている。このリブ２４，３４は、背面の中程から取り付け部２３，３３にかけて設けられているもので、取り付け部２３，３３に向かうほど平板部２１，３１からの突出量が大きくなり、且つ、横幅が徐々大きく形成されている。
【００３２】
一方の間接活線先端工具４と他方の間接活線先端工具５は、平板部２１，３１の長さを除いて同様の形状であり、一方の間接活線先端工具４は、平板部２１の長手方向の寸法が３〜４ｃｍに形成され、他方の間接活線先端工具５は、平板部３１の長さ方向の寸法が一方の間接活線先端工具よりαｃｍ（例えば、０．５ｃｍ）長くなっている（３＋α〜４＋αｃｍ）。
【００３３】
したがって、これらの間接活線先端工具４，５を間接活線把持工具（絶縁ヤットコ）３の把持部２ａ，２ｂに取り付け、操作部６を操作して互いの平板部２１，３１を重ね合わせると、それぞれの間接活線先端工具４，５の先端部２２，３２が平板部２１，３１の長手方向で前後にずれた状態となり（図３参照）、間接活線先端工具５の先端部３２が間接活線先端工具４の先端部２２よりもαｃｍ突出した状態となっている。
【００３４】
以上の構成において、次に、上述した間接活線作業用具１を用いて高圧カバー４０の開操作および閉操作を説明する。
図５及び図６において、高圧カバー４０（この例では、高圧コネクターカバーを示す）は、一対のカバー部材４０ａ、４０ｂをその長手方向に沿った背面側の部分で弾性ヒンジ４１により開閉自在に連結されている。また、一方のカバー部材４０ｂには、間接活線把持工具（絶縁ヤットコ）で把持するための突片４２が設けられている。また、長手方向に沿った前面側には、その両端近傍に、一方のカバー部材４０ａに連接されたホック部４４ａと他方のカバー部材４０ｂに連接されて前記ホック部４４ａに係合可能なホック部４４ｂとによって構成される取り付けホック部４４が設けられている。
【００３５】
このような高圧カバー４０が電線に取り付けられて一対のカバー部材４０ａ，４０ｂが閉じられている状態において、高圧カバー４０を開くためには、先ず、２本の間接活線把持工具（絶縁ヤットコ）３を用意し、一方の間接活線把持工具（絶縁ヤットコ）３の一対の把持部２ａ，２ｂに上述した間接活線先端工具４，５を装着しておく。その後、図５に示されるように、間接活線先端工具４，５がつけられていない間接活線把持工具（絶縁ヤットコ）３の把持部２ａ，２ｂにより高圧カバー４０の突片４２を把持して高圧カバー４０が動かないように固定し、その状態で間接活線先端工具４，５が取り付けられた間接活線把持工具（絶縁ヤットコ）３を高圧カバー４０にアプローチし、操作部６を握持して一対の間接活線先端工具４，５の平板部２１，３１を互いに重ね合わせる。そして、この状態で、把持部２ａ，２ｂに取り付けられた一方の間接活線先端工具５（平板部が長い方の間接活線先端工具）の先端部３２をカバー部材３０ａ、３０ｂの接合部に挿入し、その後、そのまま高圧カバー４０に押し込んで他方の間接活線先端工具４の先端部２２も接合部に挿入させる。
【００３６】
この際、互いの間接活線先端工具４，５の先端部２２，３２は平板部２１，３１の長手方向に対して前後にずらされており、しかも先端部２２，３２は先細りとなっているので、間接活線先端工具５の先端部３２の挿入は容易となり、また、間接活線先端工具４の先端部２２も、すでに間接活線先端工具５の先端部３２が挿入されて接合部の隙間が少し開けられているので接合部への挿入は容易となる。
なお、平板部２１，３１の背面に形成されているリブ２４，３４は、取り付け部２３．３３に向かって徐々に突出量が大きくなるように形成されているので、一対のカバー部材４０ａ，４０ｂの接合部への平板部２１，３１の挿入を阻害することがなく、また、平板部２１，３１を挿入した後にカバー部材４０ａ，４０ｂの接合部の開きを補うことになる。
【００３７】
そして、一対の間接活線先端工具４，５の平板部２１，３１が高圧カバー４０内に充分に挿入された後に、操作部６の握持状態を解除し、間接活線把持工具（絶縁ヤットコ）３の把持部２ａ，２ｂの開く力を利用して対をなす間接活線先端工具４，５を離反させる。すると、高圧カバー４０の取り付けホック部４４（ホック部４４ａ、４４ｂ）の係合状態が解除され、図６に示されるように、高圧カバー４０のカバー部材４０ａ、４０ｂが弾性ヒンジ４１を中心に回動して開かれる。
【００３８】
次に、高圧カバー４０を閉じるには、図７に示されるように、間接活線先端工具４，５が取り付けられていない間接活線把持工具（絶縁ヤットコ）３の把持部２ａ，２ｂにより、高圧カバー４０の突片４２を把持して高圧カバー４０が動かないように固定し、その後、間接活線先端工具４，５が取り付けられている間接活線把持工具（絶縁ヤットコ）３を用いて、把持部２ａ，２ｂに取り付けられている間接活線先端工具４，５の平板部２１，３１で高圧カバー４０の一対のカバー部材４０ａ、４０ｂのホック部４４ａ，４４ｂを外側から挟み込む。一対の間接活線先端工具４，５の平板部２１，３１は長尺に形成されているので、間接活線把持工具３の作動部１５ａ，１５ｂが開かれた状態においては、一対の間接活線先端工具４，５の先端部２２，３２間の離間距離は、把持部２ａ，２ｂの離間距離よりも十分に大きくなっており、カバー押さえ器を用いることなく、一対のカバー部材４０ａ，４０ｂを挟み込んで閉じることが可能となる。
【００３９】
したがって、高圧カバー４０の開操作では、間接活線先端工具４，５を高圧カバー４０の接合部に挿入する場合に、間接活線先端工具４，５の正確な位置合わせが不要となり、また、間接活線先端工具４，５を捻って取り付けホック部４４の係合状態を外す必要もないため、作業が作業者の熟練度に依存することがなくなり、作業効率を高めることが可能となる。また、高圧カバー４０の閉操作を行う場合にも同一の間接活線先端工具４，５を用いて行なうことが可能となり、別途工具を付け替える必要がなくなる。
【符号の説明】
【００４０】
１  間接活線作業用具
２ａ，２ｂ  把持部
３  間接活線把持工具（絶縁ヤットコ）
４，５  間接活線先端工具
２１，３１  平板部
２２、３２  先端部
２３，３３  取り付け部
２４，３４  リブ
【図１】
0005882037.tif 000002
【図２】
0005882037.tif 000003
【図３】
0005882037.tif 000004
【図４】
0005882037.tif 000005
【図５】
0005882037.tif 000006
【図６】
0005882037.tif 000007
【図７】
0005882037.tif 000008